(57)【特許請求の範囲】
【請求項１】
自動車の座席を覆うためのシートカバーであって、使用用途に応じて切断して穴を開けたい箇所の裏面側から、生地が接着剤で、前記シートカバーに前記穴を開ける前から予め貼り付けられていることを特徴とする、シートカバー。
【請求項２】
前記生地は、少なくとも、切断部において、前記シートカバーの裏側から接着されていることを特徴とする、請求項１に記載のシートカバー。
【請求項３】
前記接着剤は、ホットメルト接着剤であることを特徴とする、請求項１〜２のいずれかに記載のシートカバー。
【請求項４】
前記穴の箇所は、シートリフターの取り付け位置に対応していることを特徴とする、請求項１〜３のいずれかに記載のシートカバー。
【請求項５】
前記生地は、前記穴を開ける箇所に、指示図を有することを特徴とする、請求項１〜４のいずれかに記載のシートカバー。
【発明の詳細な説明】
【技術分野】
【０００１】
本発明は、自動車の座席用のシートカバーに関する。
【背景技術】
【０００２】
図４は、シートリフターが設けられていない自動車の座席の概略側面図である。図４に示すように、自動車の座席は、座面１０と、背もたれ部１１とからなるが、背もたれ部１１の傾斜角度を調整することができるように、リクライニングレバー１２が設けられている。図５は、シートリフターが設けられている自動車の座席の概略側面図である。シートリフターレバー１３が設けられている座席では、座面１０の高さを調整することが可能である。図６は、シートリフターレバー１３を外したときの座席の概略側面図である。シートリフターレバー１３は、金具１４を回転させて、座面１０を上下させる仕組みになっている。
【０００３】
車種によっては、シートリフターの設置がオプションである場合があり、同じ車種でも、シートリフターが設けられている場合と、シートリフターが設けられていない場合とがある。図６に示したように、金具１４は、座面１０の後方に設けられている。そのため、シートカバーを製造する場合は、シートリフターが設けられている場合の座席に対応する製品と、シートリフターが設けられていない座席に対応する製品との両方を用意しておかなければならなかった。
【０００４】
図７は、シートリフターが設けられている座席に対応した従来のシートカバー１５の斜視図である。なお、図７において、シートカバー１５を座面１０に固定するための手段（ひもや取り付け具など）は、記載を省略している。図７において、シートカバー１５は、金具１４に対応する箇所に、穴１６を有する。なお、１７は、リクライニングレバー１２が位置するためのくびれ部である。図７に示すように、従来、シートリフターが設けられている場合は、穴１６をあらかじめシートカバー１５の側面に開けておく必要があった。穴１６に、金具１４を通すようにして、シートカバー１５を座面１０にかけて、シートリフターレバー１３を金具１４に取り付けることにようにする。
【０００５】
特許文献１は、シートリフターが設けられていない場合のシートカバーの一例を示す文献である。
【先行技術文献】
【特許文献】
【０００６】
【特許文献１】特開２０１３−５６０２６号公報
【発明の概要】
【発明が解決しようとする課題】
【０００７】
シートリフターに対応したシートカバーには、金具１４の部分に、穴が設けられている。したがって、当該シートカバーを、シートリフターが設けられていない座席に取り付けたとしたら、当該穴部分が不自然に目立つこととなる。そのため、実際は、シートリフターがある場合のシートカバーと、ない場合のシートカバー（穴が設けられていないシートカバー）とを製造しておかなければならなかった。そのため、同じ車種のシートカバーであるにもかかわらず、在庫が二重に必要となり、管理コストの増大や、製品コストの増大等につながっていた。
【０００８】
また、シートリフター以外にも、後部座席のリクライニングレバーの有無や、ヘッドレストの有無、ヘッドレストの形状の違いによるシートカバーに開ける穴の形状の違いなど、これらの理由によっても、同じ車種で、複数種類のシートカバーを製造しておく必要があった。
【０００９】
それゆえ、本発明は、一種類で、シートリフターやリクライニングレバー、ヘッドレスト等の穴の有無や形状違い等に対応することができるシートカバーを提供することを目的とする。
【課題を解決するための手段】
【００１０】
上記課題を解決するために、本発明は、以下のような特徴を有する。本発明は、自動車の座席を覆うためのシートカバーであって、使用用途に応じて切断して穴を開けたい箇所の裏面側から、生地が接着剤で、シートカバーに穴を開ける前から予め貼り付けられていることを特徴とする。生地は、少なくとも、切断部において、シートカバーの裏側から接着されている。たとえば、接着剤は、ホットメルト接着剤である。たとえば、穴の箇所は、シートリフターの取り付け位置に対応している。好ましくは、生地は、穴を開ける箇所に、指示図を有するとよい。
【発明の効果】
【００１１】
本発明によれば、切断して穴を開けたい箇所の裏側から生地が接着剤で貼り付けられている。そのため、切断したとしても、シートカバーの繊維がほつれることなく、所望の穴を開けることができる。開けた穴に、シートリフター等を通すことができる。したがって、穴を開けずに、そのままシートカバーを利用することが出来るとともに、穴を開けてシートカバーを利用することができる。よって、一種類のシートカバーで、シートリフターやリクライニングレバー、ヘッドレスト等の穴の有無や形状違い等に対応することができる。生地には、切り取り箇所を示す指示図を設けることによって、指示図通りに、生地とシートカバーとを切断すれば、所望の位置に穴をあけることができる。当該穴に、シートリフター用の金具などを通すことができる。
【００１２】
本発明のこれら、及び他の目的、特徴、局面、効果は、添付図面と照合して、以下の詳細な説明から一層明らかになるであろう。
【図面の簡単な説明】
【００１３】
【図１】図１は、本発明の実施形態にかかるシートカバー１の斜視図である。
【図２】図２は、シートカバー１の生地２部分を裏側から見たときの図である。
【図３】図３は、図２のＡ−Ａ線における拡大断面図である。
【図４】図４は、シートリフターが設けられていない自動車の座席の概略側面図である。
【図５】図５は、シートリフターが設けられている自動車の座席の概略側面図である。
【図６】図６は、シートリフターレバー１３を外したときの座席の概略側面図である。
【図７】図７は、シートリフターが設けられている座席に対応した従来のシートカバー１５の斜視図である。
【発明を実施するための形態】
【００１４】
図１は、本発明の実施形態にかかるシートカバー１の斜視図である。シートカバー１には、シートリフター用の金具に対応する箇所に、裏側から、生地２が接着剤で貼り付けられている。なお、３は、リクライニングレバー用のくびれ部である。なお、くびれ部は、リクライニングレバー用の穴であってもよい。
【００１５】
図２は、シートカバー１の生地２部分を裏側から見たときの図である。図２に示すように、生地２には、切断して穴を開ける箇所が、印刷されている。図２に示す例では、まず、縦の点線部分を山折りにして、そのあと、円形にハサミで切断する指示が分かりやすく印刷されている。ただし、図２に示す指示図は、一例に過ぎず、切断箇所が分かるようになっていれば、これに限られるものではない。また、図２に示す生地２の形状も、一例に過ぎない。たとえば、生地２は、シートカバー１の側面全体に設けられていてもよいし、四角形状でなくてもよい。生地２を貼り付ける位置が分かりやすいように、適宜、生地２の形状等は工夫されていてもよい。
【００１６】
図３は、図２のＡ−Ａ線における拡大断面図である。生地２は、シート状のホットメルト接着剤４をシートカバー１の本体生地と生地２との間に挟み、アイロン等で、ホットメルト接着剤４を溶解して冷ますことによって、シートカバー１に接着されている。これによって、溶解したホットメルト接着剤４が本体生地や生地２の繊維に染み込むこととなる。そのため、切断部で、二重に重なった生地を切断したとしても、切断部の繊維がホットメルト接着剤４によって、固まっているので、繊維がほつれることが防止される。また、ホットメルト接着剤４を利用した熱圧着によって、生地２がしっかりシートカバー１に接着するので、生地２がはがれ落ちることもない。加えて、このような熱圧着であれば、生地２が裏側に接着されていることは、表側からは目立たない。特に、生地２の形状や大きさを工夫すれば、生地２が裏側に接着されていることは、表側からはほとんど分からなくなる。
【００１７】
シートリフターが設けられていない場合は、シートカバー１をそのまま自動車の座席に装着すればよい。シートリフターが設けられている場合は、シートカバー１の裏側の指示図に従って切断し、シートリフターレバーの金具用の穴を開ける。そして、当該穴に、金具を通すようにして、シートカバー１を座席に装着して、シートリフターレバーを取り付ければよい。
【００１８】
なお、上記実施形態では、生地２の全体がシートカバー１の裏面に接着されているとしたが、切断後の繊維のほつれを防止するという観点からすれば、生地２は、図３に示す切断部を示す円形図の周辺において少なくとも接着されていればよいことになる。
【００１９】
また、本発明は、シートリフターの有無だけに適用されるのではなく、リクライニングレバーの有無や、ヘッドレストの有無、ヘッドレスト形状の違いなどにも広く適用できる。すなわち、使用用途に応じて切断して穴を開ける箇所の裏側から、生地が接着剤でシートカバーに貼り付けるようにしておけば、シートリフターの有無以外についても、本発明を応用することができる。
【００２０】
なお、本実施形態では、ホットメルト接着剤を利用することとしたが、それ以外の接着剤が用いられてもよい。接着剤が、繊維に染み込んで硬化すれば、切断後の繊維のほつれは防止される。なお、表面まで接着剤が染み出さないような接着剤を利用するのが好ましい。
【００２１】
このように、本発明によれば、一種類で、シートリフターやリクライニングレバー、ヘッドレスト等の穴の有無や形状違い等に対応することができるシートカバーを提供することが可能となる。
【００２２】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００２３】
本発明は、シートカバーに関し、産業上利用可能である。
【符号の説明】
【００２４】
１  シートカバー
２  生地
３  リクライニングレバー用くびれ部
４  ホットメルト接着剤
１０  是面
１１  背もたれ部
１２  リクライニングレバー
１３  シートリフターレバー
１４  金具
【要約】
【課題】一種類で、シートリフターやリクライニングレバー、ヘッドレスト等の穴の有無や形状違い等に対応することができるシートカバーを提供する。
【解決手段】シートカバー１は、使用用途に応じて切断して穴を開けたい箇所の裏面側から、生地２がホットメルト接着剤４で熱圧着によって貼り付けられている。生地２には、切り取り箇所を示す指示図が印刷されている。指示図通りに、生地２とシートカバー１とを切断することによって、所望の位置に穴をあけることができる。当該穴に、シートリフター用の金具１４を通すことができる。
【選択図】図２【図１】
0005596211.tif 000002
【図２】
0005596211.tif 000003
【図３】
0005596211.tif 000004
【図４】
0005596211.tif 000005
【図５】
0005596211.tif 000006
【図６】
0005596211.tif 000007
【図７】
0005596211.tif 000008